(57)【要約】【課題】非常時における有用性をさらに高めることができる電気機器を提供する。【解決手段】保安灯１は、住宅内の壁面部１１０に取り付け可能な保安灯１であって、商用電源１００からの給電を受けるための電源プラグ１８と、商用電源１００からの電力を蓄電する蓄電池１１と、携帯電話１２０を接続し、蓄電池１１の蓄電電力を用いて携帯電話１２０の充電を行うためのＵＳＢコンセント１４と、を具備する。【選択図】図６
2016185054.tif 000002
【特許請求の範囲】
【請求項１】
建物内の壁面部に取り付け可能な電気機器であって、
商用電源からの給電を受けるための第一の端子部と、
前記商用電源からの電力を蓄電する蓄電部と、
他の電気機器を接続し、前記蓄電部の蓄電電力を用いて前記他の電気機器の充電を行うための第二の端子部と、
を具備する、
ことを特徴とする電気機器。
【請求項２】
前記壁面部に対して着脱可能である、
ことを特徴とする請求項１に記載の電気機器。
【請求項３】
前記壁面部に取り付けられた状態において、
前記第一の端子部が前記壁面部に設けられた前記商用電源のコンセントに接続され、
前記蓄電池は、充電可能な状態を常に維持される、
ことを特徴とする請求項１又は請求項２に記載の電気機器。
【請求項４】
前記商用電源からの電力又は前記蓄電部の蓄電電力を用いて点灯する照明部をさらに具備する、
ことを特徴とする請求項１から請求項３までのいずれか一項に記載の電気機器。
【発明の詳細な説明】
【技術分野】
【０００１】
本発明は、建物内の壁面部に取り付け可能な電気機器の技術に関する。
【背景技術】
【０００２】
従来、建物内の壁面部に取り付け可能な電気機器の技術は公知となっている。例えば、特許文献１に記載の如くである。
【０００３】
特許文献１には、住宅用の保安灯（電気機器）が記載されている。前記保安灯には、電力を用いて点灯可能なランプ、商用電源のコンセントと接続される電源プラグ、商用電源からの電力を充電可能な充電回路、及び商用電源の停電を検知する停電回路等が設けられる。
【０００４】
このような構成において、保安灯は、住宅内の壁面部に設けられた商用電源のコンセントに電源プラグが接続されることによって、当該壁面部に取り付けられる。また、前記保安灯は、商用電源からの電力を充電回路に充電しておき、停電検知回路により商用電源の停電を検知すると、前記充電回路の充電電力を用いてランプを点灯させる。このように、前記保安灯（電気機器）は、停電時（非常時）における有用性を有している。
【先行技術文献】
【特許文献】
【０００５】
【特許文献１】特開平１０−１０６３０２号公報
【発明の概要】
【発明が解決しようとする課題】
【０００６】
しかしながら、このような電気機器においては、非常時における有用性をさらに高めることが求められている。
【０００７】
本発明は、以上の如き状況を鑑みてなされたものであり、その解決しようとする課題は、非常時における有用性をさらに高めることができる電気機器を提供することである。
【課題を解決するための手段】
【０００８】
本発明の解決しようとする課題は以上の如くであり、次にこの課題を解決するための手段を説明する。
【０００９】
即ち、建物内の壁面部に取り付け可能な電気機器であって、商用電源からの給電を受けるための第一の端子部と、前記商用電源からの電力を蓄電する蓄電部と、他の電気機器を接続し、前記蓄電部の蓄電電力を用いて前記他の電気機器の充電を行うための第二の端子部と、を具備するものである。
【００１０】
前記壁面部に対して着脱可能であるものでもよい。
このような構成により、非常時における有用性をさらに高めることができる。
【００１１】
前記壁面部に取り付けられた状態において、前記第一の端子部が前記壁面部に設けられた前記商用電源のコンセントに接続され、前記蓄電池は、充電可能な状態を常に維持されるものである。
このような構成により、非常時における有用性をさらに高めることができる。
【００１２】
前記商用電源からの電力又は前記蓄電部の蓄電電力を用いて点灯する照明部をさらに具備するものである。
このような構成により、非常時における有用性をさらに高めることができる。
【発明の効果】
【００１３】
非常時における有用性をさらに高めることができる。
【図面の簡単な説明】
【００１４】
【図１】本発明の一実施形態に係る保安灯が壁面部に取り付けられた様子を示す斜視図。
【図２】同じく、保安灯の（ａ）正面図、（ｂ）右側面図。
【図３】同じく、保安灯と壁面部との取り付け態様を示す分解斜視図。
【図４】同じく、保安灯の制御構成を示す模式図。
【図５】同じく、通常時において、電力が流通する様子を示す模式図。
【図６】同じく、停電時において、電力が流通する様子を示す模式図。
【図７】同じく、保安灯と他の電気機器が接続された様子を示す斜視図。
【発明を実施するための形態】
【００１５】
以下では、図１及び図２を用いて、本発明の一実施形態に係る保安灯１の構成の概略について説明する。
なお、以下の説明においては、図中に示した矢印の方向に従って、上下方向、左右方向及び前後方向をそれぞれ定義する。
【００１６】
保安灯１は、住宅（建築物）に設けられる。保安灯１は、図１に示すように、住宅内の壁面部１１０に取り付けられる。保安灯１は、例えば夜間に自動的に点灯し廊下の足元を照らしたり、商用電源１００の停電時に非常用のあかりとして携帯されたりする。保安灯１は、主として筺体１０、蓄電池１１、照明部１２、照度検出部１３、ＵＳＢコンセント１４、電源スイッチ１５、携帯電灯スイッチ１６及び電源プラグ１８等を具備する。
【００１７】
筺体１０は、保安灯１の主たる構造体である。筺体１０は、内部に収納空間を有する略箱状に形成される。筺体１０は、正面視で略正方形に形成される。筺体１０の収納空間には、保安灯１を構成する種々の部材が収納される。
【００１８】
蓄電池１１は、商用電源１００からの電力を蓄電可能であると共に、当該蓄電電力を放電（自立出力）可能なものである。蓄電池１１は、リチウムイオン電池等により構成される。蓄電池１１は、筺体１０の内部空間に収納される。蓄電池１１の放電（自立出力）は、商用電源１００の停電時等に行われる。なお、本実施形態において、蓄電池１１の容量は、５０００ｍＡｈ以上に設定される。
【００１９】
照明部１２は、光を照らして明るくするためのものである。照明部１２は、主としてＬＥＤ２１及びカバー２２を具備する。
【００２０】
ＬＥＤ２１は、保安灯１の光源となるものである。ＬＥＤ２１は、商用電源１００又は蓄電池１１からの電力を用いて点灯される。ＬＥＤ２１は、発光面を前方へ向け、筺体１０の前側面の下部に配置される。
【００２１】
カバー２２は、ＬＥＤ２１を覆うものである。カバー２２は、光透過性を有するナイロン樹脂等により構成される。カバー２２は、ＬＥＤ２１の前方に配置され、筺体１０の前側面を上下中途部から下部に亘って前方から覆うように形成される。
【００２２】
こうして、照明部１２においては、ＬＥＤ２１からの光をカバー２２を介して前方へ照らし、当該カバー２２の周囲（すなわち、保安灯１の周囲）を明るくすることができる。
【００２３】
照度検出部１３は、保安灯１の周囲の明るさを検出するものである。照度検出部１３は、主として照度検出口２３及び照度センサ２４を具備する。
【００２４】
照度検出口２３は、筺体１０の前側面の上部に形成される。照度検出口２３は、筺体１０の前側面を前後方向に貫通して形成される。照度検出口２３は、正面視で略矩形に形成される。
【００２５】
照度センサ２４は、保安灯１の周囲の明るさ（照度値）を検出するものである。照度センサ２４は、筺体１０の収納空間に収納され、照度検出口２３の後方に配置される。
【００２６】
こうして、照度検出部１３においては、照度検出口２３を介して入射した光を照度センサ２４が受けることにより、当該照度検出口２３の前方（保安灯１の周囲）の明るさを検出することができる。
【００２７】
ＵＳＢコンセント１４は、保安灯１に他の電気機器を接続するためのものである。ＵＳＢコンセント１４は、筺体１０の前側面の右部に配置される。ＵＳＢコンセント１４には、当該他の電気機器のＵＳＢ端子が挿入される。
【００２８】
電源スイッチ１５は、後述するように、保安灯１の電源の入り切り（ＯＮ・ＯＦＦ操作）に使用される。電源スイッチ１５は、筺体１０の前側面の左部に配置される。電源スイッチ１５は、左右方向にスライド操作可能に構成される。電源スイッチ１５がＯＮ操作されると、保安灯１の電源が入る。一方、電源スイッチ１５がＯＦＦ操作されると、保安灯１の電源が切れる。
【００２９】
携帯電灯スイッチ１６は、後述するように、保安灯１を非常時のあかりとして使用するか否かの切り替え（ＯＮ・ＯＦＦ操作）に使用される。携帯電灯スイッチ１６は、筺体１０の前側面の左部であって、電源スイッチ１５の下方に配置される。携帯電灯スイッチ１６は、左右方向にスライド操作可能に構成される。携帯電灯スイッチ１６がＯＮ操作されると、保安灯１は非常用のあかりとして使用される。一方、携帯電灯スイッチ１６がＯＦＦ操作されると、保安灯１は非常用のあかりとして使用されない。
【００３０】
電源プラグ１８は、商用電源１００からの給電を受けるためのものである。電源プラグ１８は、筺体１０の後側面の上部に配置される。電源プラグ１８は、筺体１０の後側面から後方へ突出される。
【００３１】
このような構成の保安灯１は、住宅の壁面部１１０に取り付けられる。壁面部１１０には、保安灯１を取り付けるため、専用の取付部１１１が設けられる。
【００３２】
図３に示すように、取付部１１１は、壁面部１１０において内側に凹んだ部分である。取付部１１１は、廊下の足元を照らすため、壁面部１１０の下部に形成される（不図示）。取付部１１１は、正面視で保安灯１と略同一の形状、且つ略同一の大きさに形成される。取付部１１１の深さ、すなわち前後方向の長さは、保安灯１の前後方向の長さよりも短く形成される。取付部１１１の底面には、商用電源１００のコンセント１１２が形成される。コンセント１１２は、取付部１１１の底面の上部に形成される。
【００３３】
このような構成によって、保安灯１は、壁面部１１０に取り付けられる場合、取付部１１１の内側に嵌め込まれる。保安灯１は、取付部１１１の内側に嵌め込まれる際、当該保安灯１の電源プラグ１８が取付部１１１のコンセント１１２に差し込まれる。こうして、電源プラグ１８がコンセント１１２に差し込まれることによって、保安灯１は取付部１１１から脱落し難くなる。すなわち、保安灯１が、取付部１１１を介して壁面部１１０に取り付けられる。
【００３４】
また、保安灯１は、電源プラグ１８がコンセント１１２に差し込まれることによって、商用電源１００と接続され、当該商用電源１００からの給電を受けることができる。
【００３５】
また、図１に示すように、保安灯１は、取付部１１１の内側に嵌め込まれた状態で、当該保安灯１の前部が取付部１１１から前方へ突出される。こうして、住宅の居住者は、保安灯１の前部を手で掴んで手前側に引っ張ることにより、電源プラグ１８をコンセント１１２から抜き出し、保安灯１を取付部１１１（壁面部１１０）から取り出すことができる。このように、保安灯１は、壁面部１１０に対して着脱可能に構成される。
【００３６】
次に、図４を用いて、保安灯１の制御に関する構成について説明する。
【００３７】
保安灯１は、制御に関する構成として、主として電源プラグ１８、整流器３１、蓄電池１１、出力切替スイッチ３２、ＬＥＤ２１、ＤＣ／ＤＣ変換部３３、ＵＳＢコンセント１４、電流センサ３４、照度センサ２４、電源スイッチ１５、携帯電灯スイッチ１６及び制御部３５等を具備する。
【００３８】
電源プラグ１８は、商用電源１００のコンセント１１２に接続される。こうして、保安灯１は、商用電源１００からの給電を受けることができる。電源プラグ１８は、電力が流通する下流側に、後述する整流器３１と導線（電力が流通可能な経路）を介して接続される。
【００３９】
整流器３１は、商用電源１００からの交流電力を直流電力に変換するものである。整流器３１は、電源プラグ１８と接続される他、電力が流通する下流側に、後述する蓄電池１１と、出力切替スイッチ３２と、ＤＣ／ＤＣ変換部３３と、導線を介して接続される。
【００４０】
蓄電池１１は、整流器３１で変換された電力（直流電力）が供給される。こうして、蓄電池１１は、整流器３１を介して商用電源１００からの電力が供給され、当該商用電源１００からの電力を蓄電することができる。蓄電池１１は、整流器３１と接続される他、電力が流通する下流側に、後述するＤＣ／ＤＣ変換部３３と、出力切替スイッチ３２と、導線を介して接続される。こうして、蓄電池１１は、放電した蓄電電力を出力切替スイッチ３２や、ＤＣ／ＤＣ変換部３３へ供給することができる。
【００４１】
出力切替スイッチ３２は、ＬＥＤ２１へと供給される電力の供給（出力）元を切り替えるものである。具体的には、出力切替スイッチ３２は、ＬＥＤ２１へと供給される電力として、整流器３１を介して供給される商用電源１００からの電力、又は蓄電池１１から放電された蓄電電力を切り替える。また、出力切替スイッチ３２は、ＬＥＤ２１への電力の供給を遮断するように切り替えることもできる。電力の出力切替スイッチ３２は、整流器３１や蓄電池１１と接続される他、電力が流通する下流側に、ＬＥＤ２１と導線を介して接続される。
【００４２】
ＬＥＤ２１は、出力切替スイッチ３２を介して供給された電力を用いて点灯される。すなわち、ＬＥＤ２１は、整流器３１を介して供給される商用電源１００からの電力、又は蓄電池１１から放電された蓄電電力を用いて点灯される。
【００４３】
ＤＣ／ＤＣ変換部３３は、供給された電力（具体的には、蓄電池１１から放電された蓄電電力、又は整流器３１で変換された電力）を適宜な電圧（本実施形態においては、４．７５〜５．２５Ｖ）に変換するものである。ＤＣ／ＤＣ変換部３３は、整流器３１や蓄電池１１と接続される他、電力が流通する下流側に、ＵＳＢコンセント１４と導線を介して接続される。
【００４４】
ＵＳＢコンセント１４は、他の電気機器に接続されると、当該接続された電気機器に給電を行うことができる。ＵＳＢコンセント１４には、ＤＣ／ＤＣ変換部３３で変換された適宜な電圧の電力が供給される。なお、本実施形態においては、ＵＳＢコンセント１４の出力は、１（Ａ）以上に設定される。
【００４５】
電流センサ３４は、電力の電流値を検出するものである。電流センサ３４は、電源プラグ１８と整流器３１との間の導線に設置される。電流センサ３４は、検出結果に関する信号を出力可能に構成される。
【００４６】
照度センサ２４は、検出結果に関する信号を出力可能に構成される。また、電源スイッチ１５は、ＯＮ・ＯＦＦ操作に関する信号を出力可能に構成される。また、携帯電灯スイッチ１６は、ＯＮ・ＯＦＦ操作に関する信号を出力可能に構成される。
【００４７】
制御部３５は、保安灯１の動作を制御するものである。制御部３５は、筺体１０の内部空間に収納される制御基板により構成される（不図示）。制御部３５には、主としてＣＰＵ等の演算処理装置、ＲＡＭやＲＯＭ等の記憶装置、並びにＩ／Ｏ等の入出力装置等が設けられる。制御部３５の記憶装置には、保安灯１の動作を制御するための、各種のプログラムが記憶される。
【００４８】
また、制御部３５は、蓄電池１１と電気的に接続される。制御部３５は、蓄電池１１の状態（例えば、蓄電電力量や充放電等）に関する信号（情報）を取得することができる。また、制御部３５は、蓄電池１１へと制御信号を出力し、当該蓄電池１１の動作（充放電）を制御することができる。
【００４９】
また、制御部３５は、出力切替スイッチ３２と電気的に接続される。制御部３５は、出力切替スイッチ３２へと制御信号を出力し、当該出力切替スイッチ３２の動作（ＬＥＤ２１へと供給される電力の供給元の切り替え、及びＬＥＤ２１への電力の供給の遮断の切り替え）を制御することができる。
【００５０】
また、制御部３５は、電流センサ３４と電気的に接続される。制御部３５は、電流センサ３４の検出結果に関する信号（情報）を取得することができる。制御部３５は、電流センサ３４の検出結果に基づいて、商用電源１００が停電しているか否か（非常時であるか否か）を判定することができる。
【００５１】
また、制御部３５は、照度センサ２４と電気的に接続される。制御部３５は、照度センサ２４の検出結果に関する信号（情報）を取得することができる。制御部３５は、照度センサ２４の検出結果に基づいて、ＬＥＤ２１を自動的に点灯させるか否かを判定することができる。すなわち、制御部３５は、例えば夜間のように保安灯１の周囲が暗い場合には、ＬＥＤ２１を自動的に点灯させる必要があると判定する。また、制御部３５は、例えば昼間のように保安灯１の周囲が明るい場合には、ＬＥＤ２１を自動的に点灯させる必要がないと判定する。
【００５２】
また、制御部３５は、電源スイッチ１５と電気的に接続される。制御部３５は、電源スイッチ１５のＯＮ・ＯＦＦ操作に関する信号（情報）を取得することができる。
【００５３】
また、制御部３５は、携帯電灯スイッチ１６と電気的に接続される。制御部３５は、携帯電灯スイッチ１６のＯＮ・ＯＦＦ操作に関する信号（情報）を取得することができる。
【００５４】
次に、図５から図７を用いて、保安灯１の動作の態様について説明する。
【００５５】
なお、以下の説明では、特に断りが無ければ、保安灯１は、取付部１１１を介して壁面部１１０に取り付けられているものとする。すなわち、保安灯１は、電源プラグ１８がコンセント１１２と接続され、商用電源１００からの給電を受けている。
【００５６】
保安灯１が商用電源１００からの給電を受けている場合、電流センサ３４は設置箇所（電源プラグ１８と整流器３１との間）を流通する電力の電流値を検出する。電流センサ３４の検出結果に関する情報は、制御部３５に取得される。これにより、制御部３５は、停電が発生していないと判定する。また、制御部３５には、照度センサ２４により保安灯１の周囲の明るさに関する情報が取得される。こうして、制御部３５は、保安灯１の周囲の明るさに応じて、ＬＥＤ２１を点灯させる必要があるか、又は点灯させる必要がないかを判定する。
【００５７】
図５に示すように、制御部３５は、停電が発生していないと判定し、且つＬＥＤ２１を点灯させる必要があると判定した場合には、ＬＥＤ２１へと供給される電力として、整流器３１を介して供給される商用電源１００からの電力が用いられるように、出力切替スイッチ３２を切り替える。こうして、ＬＥＤ２１は、商用電源１００からの電力を用いて点灯される。このように、通常時において、例えば夜間のように保安灯１の周囲が暗い場合には、保安灯１は自動的に点灯し、廊下の足元を照らすことができる。
【００５８】
また、制御部３５は、停電が発生していないと判定し、且つＬＥＤ２１を点灯させる必要がないと判定した場合には、ＬＥＤ２１への電力の供給が遮断されるように、出力切替スイッチ３２を切り替える。こうして、ＬＥＤ２１は、電力が供給されず消灯する。このように、通常時において、例えば昼間のように保安灯１の周囲が明るい場合には、保安灯１は自動的に消灯し、電力の消費を抑制することができる。
【００５９】
また、図５に示すように、通常時においては、整流器３１で変換された電力（直流電力）が、常に蓄電池１１に供給可能な状態となっている。こうして、通常時においては、必要に応じて商用電源１００からの電力を蓄電池１１に蓄電し、当該蓄電池１１を常に満充電とすることができる。
【００６０】
また、図５に示すように、通常時においては、整流器３１で変換された電力（直流電力）が、ＤＣ／ＤＣ変換部３３を介してＵＳＢコンセント１４に供給される。こうして、例えばＵＳＢコンセント１４に他の電気機器（本実施形態においては、図７に示す携帯電話１２０）のＵＳＢ端子１２１が接続された場合には、当該携帯電話１２０に商用電源１００からの電力を用いて充電を行うことができる。
【００６１】
また、通常時において、電源スイッチ１５をＯＦＦ操作すると、ＬＥＤ２１への電力の供給が遮断されるよう、出力切替スイッチ３２を切り替えることができる。こうして、保安灯１が取付部１１１を介して壁面部１１０に取り付けられている場合（すなわち、電源プラグ１８がコンセント１１２と接続されている場合）であっても、ＬＥＤ２１に電力が供給されない。このように、通常時においても、必要に応じて保安灯１を消灯させ、電力の消費を抑制することができる。
【００６２】
また、制御部３５は、電流センサ３４が設置箇所を流通する電力の電流値を検出することができない場合に、停電が発生していると判定する。制御部３５は、停電が発生していると判定した場合、蓄電池１１の自立出力（放電）を行う。なお、蓄電池１１の放電は、制御部３５の制御ではなく、住宅の居住者の操作により行われてもよい。
【００６３】
図６に示すように、制御部３５は、停電が発生していると判定し、且つＬＥＤ２１を点灯させる必要があると判定した場合には、ＬＥＤ２１へと供給される電力として、蓄電池１１から放電された蓄電電力が用いられるように、出力切替スイッチ３２を切り替える。こうして、ＬＥＤ２１は、蓄電池１１の蓄電電力を用いて点灯される。このように、停電時においても、例えば夜間のように保安灯１の周囲が暗い場合には、保安灯１は自動的に点灯し、廊下の足元を照らすことができる。
【００６４】
また、制御部３５は、停電が発生していると判定し、且つＬＥＤ２１を点灯させる必要がないと判定した場合には、ＬＥＤ２１への電力の供給が遮断されるよう、出力切替スイッチ３２を切り替える。こうして、ＬＥＤ２１は、電力が供給されず消灯する。このように、停電時においても、例えば昼間のように保安灯１の周囲が明るい場合には、保安灯１は自動的に消灯し、蓄電池１１の蓄電電力の消費を抑制することができる。
【００６５】
また、図６に示すように、停電時においては、蓄電池１１から放電された蓄電電力が、ＤＣ／ＤＣ変換部３３を介してＵＳＢコンセント１４に供給される。こうして、図７に示すように、例えばＵＳＢコンセント１４に携帯電話１２０のＵＳＢ端子１２１が接続された場合には、当該携帯電話１２０に蓄電池１１の蓄電電力を用いて充電を行うことができる。なお、本実施形態においては、蓄電池１１の容量は、５０００ｍＡｈ以上に設定される。こうして、蓄電池１１が満充電であれば、携帯電話１２０の充電をおよそ２回行うことができる。
【００６６】
また、停電時において、電源スイッチ１５をＯＦＦ操作すると、ＬＥＤ２１への電力の供給が遮断されるよう、出力切替スイッチ３２を切り替えることができる。これによって、保安灯１の周囲の明るさに応じて、ＬＥＤ２１を点灯させる必要があると判定した場合であっても、ＬＥＤ２１に蓄電池１１からの蓄電電力が供給されない。このように、停電時においては、必要に応じて保安灯１を消灯させ、蓄電池１１の蓄電電力の消費を抑制することができる。
【００６７】
また、電源スイッチ１５のＯＮ・ＯＦＦ操作にかかわらず、また保安灯１の周囲の明るさ（照度センサ２４の検出結果）にかかわらず、携帯電灯スイッチ１６をＯＮ操作すると、ＬＥＤ２１へと供給される電力として、蓄電池１１から放電された蓄電電力が用いられるよう、出力切替スイッチ３２が切り替えられる。ここで、上述の如く住宅の居住者は、保安灯１を取付部１１１から取り出すことができる。すなわち、停電時において、居住者は、携帯電灯スイッチ１６をＯＮ操作すると、保安灯１を点灯させながら持ち歩くことができ、当該保安灯１を非常用のあかりとして使用することができる。
【００６８】
以上のように、本発明の一実施形態に係る保安灯１は、
建物内の壁面部１１０に取り付け可能な保安灯（電気機器）であって、
商用電源１００からの給電を受けるための電源プラグ１８（第一の端子部）と、
前記商用電源１００からの電力を蓄電する蓄電池１１と、
携帯電話１２０（他の電気機器）を接続し、前記蓄電池１１の蓄電電力を用いて前記携帯電話１２０（他の電気機器）の充電を行うためのＵＳＢコンセント１４（第二の端子部）と、
を具備するものである。
【００６９】
このような構成により、商用電源１００の停電時（非常時）における有用性をさらに高めることができる。
すなわち、保安灯１は、一般的に持ち運びするものでないため、所定の場所に常に配置されている。また、保安灯１は、一般的な住宅に必ず設置されている。このような保安灯１に、一般的な機能（例えば夜間に自動的に点灯し廊下の足元を照らす機能）とは別の機能（他の電気機器を充電させる機能）を持たせるため、停電時における有用性をさらに高めることができる。
【００７０】
また、保安灯１においては、
前記壁面部１１０に対して着脱可能であるものである。
【００７１】
このような構成により、例えば充電したい他の電気機器が持ち運びできない状態であっても、保安灯１自体を移動させ、当該移動させた保安灯１により他の電気機器を充電させることができる。このように、保安灯１においては、停電時における有用性をさらに高めることができる。
【００７２】
また、保安灯１においては、
前記壁面部１１０に取り付けられた状態において、
前記電源プラグ１８（第一の端子部）が前記壁面部１１０に設けられた前記商用電源１００のコンセント１１２に接続され、
前記蓄電池１１は、充電可能な状態を常に維持されるものである。
【００７３】
このような構成により、蓄電池１１を常に満充電とすることができる。すなわち、停電時において、蓄電池１１に電力が蓄電されていない状態となるのを防止することができる。このように、保安灯１においては、停電時における有用性をさらに高めることができる。
【００７４】
また、保安灯１においては、
前記商用電源１００からの電力又は前記蓄電池１１の蓄電電力を用いて点灯するＬＥＤ２１（照明部）をさらに具備するものである。
【００７５】
このような構成により、保安灯１においては、停電時における有用性をさらに高めることができる。
【００７６】
なお、上記実施形態に係る電源プラグ１８は、第一の端子部の実施の一形態である。
また、上記実施形態に係るＵＳＢコンセント１４は、第二の端子部の実施の一形態である。
また、上記実施液体に係る携帯電話１２０は、他の電気機器の実施の一形態である。
【００７７】
以上、本発明に係る実施形態を説明したが、本発明は上記構成に限定されるものではなく、特許請求の範囲に記載された発明の範囲内で種々の変更が可能である。
【００７８】
例えば、上記実施形態においては、電気機器として保安灯１を用いて説明したが、電気機器は保安灯に限定するものではない。例えば、電気機器は、壁面部に取り付けられる壁スイッチや、壁面部に取り付けられるリモコン、壁面部に取り付けられる時計、壁面部に取り付けられるデジタルフォトフレーム等であってもよい。
【００７９】
また、上記実施形態においては、他の電気機器として携帯電話１２０を用いて説明したが、他の電気機器は携帯電話に限定するものではない。例えば、他の電気機器は、パソコンやタブレット等の電気機器であってもよい。
【００８０】
また、上記実施形態においては、ＵＳＢコンセント１４の出力は、１（Ａ）以上に設定されたが、少なくとも２．１（Ａ）以上となるように設定されてもよい。このように、ＵＳＢコンセント１４の出力が２．１（Ａ）以上に設定されると、携帯電話だけでなく、（容量の大きい）タブレットも充電することができる。
【００８１】
また、上記実施形態においては、第一の端子部として電源プラグ１８を用いて説明したが、第一の端子部は、電源プラグに限定するものではない。また、上記実施形態においては、第二の端子部としてＵＳＢコンセント１４を用いて説明したが、第二の端子部は、ＵＳＢコンセントに限定するものではない。
【００８２】
また、第一の端子部及び第二の端子部は、それぞれ１つではなく、複数設けられてもよい。このように、例えば第二の端子部が複数設けられる場合には、当該複数の第二の端子部の出力を合計２．１（Ａ）以上に設定することもできる。
【００８３】
また、本実施形態においては、蓄電池１１の容量を５０００ｍＡｈ以上に設定することによって、携帯電話１２０の充電を２回行うことができる構成としたが、蓄電池１１の容量はこれに限定するものではない。例えば、蓄電池１１の容量を７０００ｍＡｈ以上に設定することによって、携帯電話１２０の充電をおよそ３回行うことができる。
【００８４】
また、本実施形態においては、建物として住宅を用いて説明したが、建物は住宅に限定するものではない。例えば、建物は、オフィスビルや病院等であってもよい。
【符号の説明】
【００８５】
１      保安灯
１１    蓄電池
１４    ＵＳＢコンセント
１８    電源プラグ
１００  商用電源
１１０  壁面部
１２０  携帯電話
【図１】
2016185054.tif 000003
【図２】
2016185054.tif 000004
【図３】
2016185054.tif 000005
【図４】
2016185054.tif 000006
【図５】
2016185054.tif 000007
【図６】
2016185054.tif 000008
【図７】
2016185054.tif 000009